(57)【要約】【課題】より少ないキーストローク操作で傷病名とその傷病コードと修飾語とその修飾語コードを入力できるレセプト処理システム及びその入力方法を提供する。【解決手段】傷病名と修飾語を表す文字列及び傷病コードと修飾語コードを表す数字列を入力する入力手段（２）と、データ処理するコンピュータ（９）と、標準化された傷病名と傷病コードとが格納された傷病名マスタ（５）と、標準化された修飾語と修飾語コードとが格納された修飾語マスタ（６）と、ユーザインターフェイスを持つ画面に表示するための表示手段（４）と、入力済みの文字列又は数字列と一致する傷病名又は修飾語又は傷病コード又は修飾語コードを表示手段の画面上に表示する照合手段（７、８）と、表示手段の画面上に表示された傷病名又は修飾語を選択することのできる選択手段（３）と、を有することを特徴とするレセプト処理システム。【選択図】図１
2008210153.tif 000002
【特許請求の範囲】
【請求項１】
傷病名とその修飾語を表す文字列及び前記傷病名と前記修飾語にそれぞれ対応した傷病コードと修飾語コードを表す数字列を入力するこのできる入力手段と、
該入力された文字列又は数字列をデータ処理するためのコンピュータと、
標準化された傷病名と傷病コードとが格納された傷病名マスタと、
標準化された修飾語と修飾語コードとが格納された修飾語マスタと、
前記コンピュータによる処理結果をユーザインターフェイスを持つ画面上に表示するための表示手段と、
前記入力手段に応答して、入力毎に、入力済みの文字列又は数字列を前記傷病マスタ又は前記修飾語マスタと照合して、前記入力済みの文字列又は数字列と一致する前記傷病マスタ又は前記修飾語マスタ内に格納された標準化された傷病名又は修飾語若しくは傷病コード又は修飾語コードを前記表示手段の画面上に表示する照合手段と、
前記表示手段の画面上に表示された傷病名又は修飾語を選択することのできる選択手段と、
を有することを特徴とするレセプト処理システム。
【請求項２】
診療科名を入力する手段をさらに有し、前記照合手段は、入力された診療科名と一致する前記傷病名を優先的に表示することを特徴とする請求項１に記載のレセプト処理システム。
【請求項３】
同一患者について過去に入力された病名を検索する手段をさらに有し、前記照合手段は、過去に入力された病名と同一又は類似の前記傷病名を優先的に表示することを特徴とする請求項１に記載のレセプト処理システム。
【請求項４】
傷病名又はその修飾語若しくはそれぞれ対応した傷病コード又は修飾語コードをコンピュータによる処理のためにレセプト処理システムに入力する方法であって、
傷病名又はその修飾語を表す文字列若しくはその傷病名又は修飾語にそれぞれ対応した傷病コード又は修飾語コードを表す数字列を入力するステップと、
前記入力するステップの度に、該入力された文字列又は数字列を標準化された傷病名と傷病コードとが格納された傷病名マスタ又は標準化された修飾語と修飾語コードとが格納された修飾語マスタと照合するステップと、
前記入力済みの文字列又は数字列と一致する前記傷病マスタ又は前記修飾語マスタ内に格納された標準化された傷病名又は修飾語若しくは傷病コード又は修飾語コードをコンピュータの表示手段の画面上に表示するステップと、
前記画面上に表示された傷病名又は修飾語を選択するステップと、
を有することを特徴とするレセプト処理システムに入力する方法。
【請求項５】
診療科名を入力するステップをさらに有し、前記照合するステップは、入力された診療科名と一致する前記傷病名を優先的に表示することを特徴とする請求項４に記載の方法。
【請求項６】
同一患者について過去に入力された病名を検索するステップをさらに有し、前記照合するステップは、過去に入力された病名と同一又は類似の前記傷病名を優先的に表示することを特徴とする請求項４に記載の方法。
【発明の詳細な説明】
【技術分野】
【０００１】
本発明は、医療機関等において診療報酬明細書に記載される傷病名を入力して医療事務処理を行うレセプト処理システム及びその入力方法に関する。
【背景技術】
【０００２】
医療機関等は、診療報酬明細書（以下、レセプトと言う）を発行して保険医療事務処理を行うが、コンピュータからなるレセプト処理システムの傷病名欄に入力されるべき病名の入力については、病名の多さ、また、レセプトの傷病名欄に医師や医療機関が記載する際に、標準的な病名ではないが慣用的に用いられている病名を記載したり、仮名遣いが異なるなど、表記上のばらつきがあり、傷病名マスタと照合して、傷病コードを得ることは必ずしも容易ではない。
【０００３】
従来、これらの作業はレセプトに記載された傷病名を操作員（ユーザ）がキーボートを打鍵してコンピュータに入力して、レセプト処理システムにより標準的な傷病名およびその傷病コードが蓄積された記録媒体である傷病名マスタとコンピュータにより照合して対応する傷病コードに変換していた（特許文献１参照）。また、ＯＣＲ装置（光学文字読取装置）により傷病名欄を文字認識してコンピュータに入力して、標準的な傷病名およびその傷病コードが蓄積された傷病名マスタとコンピュータにより照合してレセプト処理システムにより該当傷病名にコード化する方法がある（特許文献２参照）。
【０００４】
【特許文献１】特開平９−２９７７８７号
【特許文献２】特開２００２−３６６６４８号
【発明の開示】
【発明が解決しようとする課題】
【０００５】
しかし、特許文献１に記載された従来の技術では、レセプト記載の傷病名をレセプト処理システムに入力して傷病名を自動的にコード化するためには、完全な傷病名を入力して傷病名マスタと照合して、照合の結果、一致するマスタ傷病名を表示する構成であるため、レセプト記載の傷病名を完全に入力しないと、傷病名マスタとの照合が行われず、その結果、操作員（ユーザ）による入力手段のキーボードのキー打鍵数が多いという問題点があった。また、特許文献２に記載された従来の技術では、ＯＣＲ装置の精度により事務の効率が左右されるという問題点およびＯＣＲ装置のコストの問題点があった。さらに、特許文献１、２では、傷病名を入力してコンピュータにより傷病コードに変換する構成であるが、逆に傷病コードを入力してコンピュータにより傷病名に変換することができないという問題点がある。
従って、本発明の目的は、これらの従来の問題点を解決したレセプト処理システム及びレセプト処理システムへの入力方法を提供することである。
【課題を解決するための手段】
【０００６】
本発明に係るレセプト処理システムは、上記目的を達成するために、傷病名とその修飾語を表す文字列及び前記傷病名と前記修飾語にそれぞれ対応した傷病コードと修飾語コードを表す数字列を入力するこのできる入力手段と、該入力された文字列又は数字列をデータ処理するためのコンピュータと、標準化された傷病名と傷病コードとが格納された傷病名マスタと、標準化された修飾語と修飾語コードとが格納された修飾語マスタと、前記コンピュータによる処理結果をユーザインターフェイスを持つ画面上に表示するための表示手段と、前記入力手段に応答して、入力毎に、入力済みの文字列又は数字列を前記傷病マスタ又は前記修飾語マスタと照合して、入力済みの文字列又は数字列と一致する前記傷病マスタ又は前記修飾語マスタ内に格納された標準化された傷病名又は修飾語若しくは傷病コード又は修飾語コードを前記表示手段の画面上に表示する照合手段と、前記表示手段の画面上に表示された傷病名又は修飾語を選択することのできる選択手段と、を有することを特徴とする。
また、上記目的を達成するために、本発明に係る傷病名又はその修飾語若しくはそれぞれ対応した傷病コード又は修飾語コードをコンピュータによるレセプト処理のためにレセプト処理システムに入力する方法は、傷病名又はその修飾語を表す文字列若しくはその傷病名又は修飾語にそれぞれ対応した傷病コード又は修飾語コードを表す数字列を入力するステップと、前記入力するステップの度に、該入力された文字列又は数字列を標準化された傷病名と傷病コードとが格納された傷病名マスタ又は標準化された修飾語と修飾語コードとが格納された修飾語マスタと照合するステップと、前記入力済みの文字列又は数字列と一致する前記傷病マスタ又は前記修飾語マスタ内に格納された標準化された傷病名又は修飾語若しくは傷病コード又は修飾語コードをコンピュータの表示手段の画面上に表示するステップと、前記画面上に表示された傷病名又は修飾語を選択するステップと、を有することを特徴とする。
【発明を実施するための最良の形態】
【０００７】
以下に、本発明の一実施形態のレセプト処理システムと入力方法について説明する。本発明は、より少ないキーストローク操作で傷病名とその傷病コードと修飾語とその修飾語コードを入力できるレセプト処理システム及びその入力方法を提供する。図１に示すように本発明のレセプト処理システムは、傷病名と修飾語を表す文字列及び傷病コードと修飾語コードを表す数字列を入力する入力手段２と、データ処理するコンピュータ９と、標準化された傷病名と傷病コードとが格納された傷病名マスタ５と、標準化された修飾語と修飾語コードとが格納された修飾語マスタ６と、ユーザインターフェイスを持つ画面に表示するための表示手段４と、入力済みの文字列又は数字列と一致する傷病名又は修飾語又は傷病コード又は修飾語コードを表示手段の画面上に表示する照合手段７、８と、表示手段の画面上に表示された傷病名又は修飾語を選択することのできる選択手段３と、を有することを特徴とする。
図１は本実施形態の基本構成図で、コンピュータ９を含むレセプト処理システム１に、コンピュータ用のキーボート等の入力手段２と、マウスなどの画面上のユーザインターフェイス上の表示された文字列を選択できるポインティングデバイスの選択手段３と、コンピュータ用の液晶ディスプレイまたはＣＲＴディスプレイなどの表示画面を持つ表示手段４が接続されている。さらにレセプト処理装置１は、傷病名マスタ５、修飾語マスタ６、傷病名マスタ照合手段７、修飾語マスタ照合手段８、コンピュータ９から構成されている。また、レセプト処理システム１は、辞書及び同一患者の入力病名履歴や病名を木構造で階層的に分類した医療オントロジー（症状と病名、治療法間の対応情報など医学知識そのものを 構造化した情報）を記憶したデータベース１０と入力手段２から入力された傷病名とその修飾語の文字列を解析するための入力文字列解析手段及び医療オントロジーを利用した類似病名検出手段１１をさらに有する。
なお、図１では、説明のために、傷病名マスタ５、修飾語マスタ６、傷病名マスタ照合手段７、修飾語マスタ照合手段８、コンピュータ９、データベース１０、及び入力文字列解析及び類似病名検出手段１１を別々に図示しているが、これらは当業者には容易に理解されるように、実際はコンピュータ９内に通常に含まれる中央演算処理装置と記憶媒体と記憶媒体に記憶されたコンピュータプログラムとデータとから構成されている。したがって、これらは通常はコンピュータ９内に含まれているものである。
【０００８】
次に、本実施形態のレセプト処理システムの動作について説明する。図２と図３はレセプト処理システム１の表示手段４に表示されるユーザインターフェイスの画面である。ユーザによりレセプト処理システム１の入力手段２から、レセプト記載傷病名の文字列の最初の文字「狭」が入力されると、図２中の左下の病名入力欄２１に表示される。文字列の最初の「狭」が入力手段２によって入力されると、レセプト処理システム１は、まず、データベース１０と入力文字列解析手段及び類似病名検出手段１１により、「狭」の入力は傷病名であると解析して、傷病名照会手段７は傷病名マスタ５中に格納されている傷病名を照合して、「狭」の文字を持つ傷病名を全て取り出して、これら傷病名の一覧を図２中の右側の表示欄２２に表示する。すなわち、図２中の右側の表示欄２２には、「狭心症」から「狭窄歯列弓」までの「狭」の文字を持つ傷病名が表示されている。この一覧は単なる一部でこれ以上の傷病名も存在する。もし、ユーザがこの表示欄２２に表示された傷病名の１つの「狭心症」をマウスなどのボインティング・デバイスなどの選択手段３で選択すると、図２の左下側の病名入力欄２１に「狭心症」が自動的に入力され、「狭心症」の傷病コードが傷病名マスタ５から自動的に検索されて、図２の左中側の傷病コード入力欄２３に自動的に入力される。
【０００９】
図３は、図２と同じユーザインターフェイスの画面である。図３中の左中側の傷病コード入力欄２３には既に傷病コード「２５０００１３」が入力されていて、その下の（傷病名）の傷病名表示欄２４には「糖尿病」が表示されていて、その下の病名入力欄２１中に「糖尿病」がすでに入力されている。いま、ユーザが病名入力欄２１中に「糖尿病」の文字列中に「の」の文字を追加すると、レセプト処理システム１は、データベース１０と入力文字列解析手段１１により、「の」入力は修飾語であると解析して、修飾語照会手段８は修飾語マスタ６中に格納されている標準の修飾語を照合して、「糖尿病」に関して「の」の修飾語を持つ傷病名を全て取り出して、これら傷病名の一覧を図３中の右側に表示欄２２に表示する。すなわち、図３中の右側の表示欄２２には、「の疑い」から「の二次感染」までの「の」の修飾語文字を持つ傷病名が表示されている。この一覧は単なる一部でこれ以上の傷病名も存在する。
【００１０】
たとえば、ユーザがこの表示欄２２に表示された傷病名の修飾語の１つ「の疑い」の文字列をマウスなどのポインテイングデバイスの選択手段３で選択すると、図４の左下側の病名入力欄２１に「糖尿病」の文字列に「の疑い」の文字列が自動的に追加入力される。そして、「の疑い」の修飾語コード「８００２」が修飾語マスタ６から自動的に検索されて、図４の左中側の修飾語コード入力欄２５中に「８００２」が自動的に入力され、その下の（修飾語）の修飾語表示欄２６中に「の疑い」が自動的に表示される。なお、以上の説明は傷病名の修飾語「の疑い」について説明したが傷病名の体の部位についても同様である。
【００１１】
以上説明した通り、本発明のレセプト処理システム１では、傷病名の文字列の最初の文字を病名入力欄２１に入力するだけで、その文字を持つ傷病名が傷病名マスタ５から自動的に照合、検索されてその入力文字を持つ傷病名の一覧が表示欄２２に表示される。もし、表示欄２２中の傷病名の一覧の中の傷病の数か多くて、目標の傷病名が容易に見つからない場合等は、次の文字を病名入力欄２１の文字列に追加入力すると、追加入力された文字を含む文字列を持つ傷病名が傷病名マスタ５から自動的に照合、検索されて、追加入力された文字を含む文字列を持つ傷病名の一覧が表示欄２２に表示される。このようにして、傷病名の一覧の傷病名数は入力文字列数が増えるに従い、絞り込まれる。
【００１２】
以上のようにして、目標の傷病名が表示欄２２中に見つかれば、ユーザが選択手段３で選択すると選択された傷病名は自動的に病名入力欄２１に入力され、その傷病コードへの変換も自動的に行われて、傷病コード入力欄２３に自動的に入力される。そして、（傷病名）の傷病名表示欄２４に自動的に表示される。この結果、ユーザのキー打鍵数は相当に減少する。
【００１３】
また、傷病名の修飾語についても、もし、ユーザが病名入力欄２１に入力されている傷病名に修飾語（たとえば「の疑い」又はたとえば「体の部位」）を追加入力すると、自動的に修飾語マスタ５から入力された文字列を持つ修飾語が取り出されて表示欄２２中に表示される。もし、目標の修飾語が表示欄２２中に見つかれば、ユーザが選択手段３で選択すると自動的に選択された修飾語が病名入力欄２１の傷病名に追加的に入力される。そして、選択された修飾語の修飾語コードが自動的に取り出されて、修飾語コード入力欄２５に自動的に入力される。そして、（修飾語）の修飾語表示欄２６に選択された修飾語が自動的に表示される。この結果、ユーザのキー打鍵数は相当に減少する。
【００１４】
次に、図５を参照して、本発明の別の実施の形態を説明する。図５は図２の一部のみを示す図である。この実施の形態では、ユーザが傷病コード入力欄２３に傷病コード「２５０００１３」の数字列を入力して、この傷病コード入力欄に入力された数字列が傷病コードの桁数と一致すると自動的に傷病名マスタ５を照会して、この入力された傷病コードの数字列と一致する傷病名を検索して、もしあれば、（傷病名）の傷病名表示欄２４中に傷病名（この例では「糖尿病」）を表示し、そして、病名入力欄２１中に傷病名（この例では「糖尿病」）を入力して表示する。もし、入力された傷病コードに該当するものが傷病名マスタ５になければ「コードが正しくありません」という表示が（傷病名）の傷病名表示欄２４中に行われる。
【００１５】
以上の説明は、傷病名コードを傷病コード入力欄２３に入力する場合の説明であるが、同様に、修飾語コード入力欄２５中に修飾語コードを入力すると、修飾語コード入力欄２に入力された数字列の桁数が修飾語コードの桁数に達したならば、自動的に修飾語マスタ６を照会して、この入力された修飾語コードと一致する修飾語を検索して、もしあれば、（修飾語）の修飾語表示欄２６中に修飾語を表示し、そして、病名入力欄２１中に傷病名に修飾語を追加入力して表示する。もし、入力された修飾語コードに該当するものが修飾語マスタ６になければ「コードが正しくありません」という表示が（修飾語）の修飾語表示欄２６中に行われる。
【００１６】
一般に、コード入力は複数桁の数字入力であるため、ユーザ（操作員）には文字列入力と比較してなじみがなくてコード入力は使用されないと考えられるかも知れないが、頻繁に入力される傷病コード又は修飾語コードが存在する。この場合は、ユーザ（操作員）にとっては傷病名又は修飾語の文字入力よりその傷病コード又は修飾語コートを数字で入力するコード入力の方がキー打鍵数が少ないなどのメリットがある。また、頻繁に使用する傷病名の入力は傷病コードのコード入力で行い。修飾語の入力は文字入力で行うこともできる。このように、傷病名（および修飾語）を文字で入力する方法と傷病コード（修飾語コード）の数字で入力する方法を、互換的にできるようにしたことも本発明の特徴である。
【００１７】
次に、図６を参照して本発明の別の実施の形態を説明する。今、ユーザが傷病名「右上腕骨骨折の」を病名入力欄２１に入力すると、レセプト処理システム１のデータベース１０と入力文字列解析手段１１は、病名入力欄２１に入力された文字列を一文字が追加入力されるたびに分析して、修飾語又は傷病名に分解し、それぞれ傷病名マスタ５と修飾語マスタ６に照会する。そして、もし、入力された文字列と完全に一致するものが１つだけの場合、たとえば、修飾語の「右」と「上腕骨」の場合、それに確定できるから、レセプト処理システム１は、修飾語コード入力欄２５にそれぞれ修飾語コード「２０５６」と「１６４７」を入力して、（修飾語）の修飾語表示欄２６に「右」と「上腕骨」とそれぞれ表示する。
【００１８】
もし、傷病名マスタ５と修飾語マスタ６との照会の結果、入力された文字列と一致する傷病名又は修飾語が複数存在するならば、図２又は図３中の表示欄２２中に表示する。ユーザは上述したとおり方法で選択手段３により目的の傷病名又は修飾語を表示欄２２から選択できる。その結果は、上述したとおり、傷病名コード欄２２と修飾語コード入力欄２５に示される。
【００１９】
もし、傷病名マスタ５と修飾語マスタ６との照会の結果、入力された文字列と一致する傷病名又は修飾語が１つも存在しないならば、傷病コード入力欄２３又は修飾語コード入力欄２５にその旨を表示する数字列（たとえば、８８８８８８８）を表示して、（傷病名）の傷病名表示欄２４又は（修飾語）の修飾語表示欄２６に入力されたものはマスタには存在しませんと表示する。ユーザは、これにより、別の傷病名又は修飾語を入力し直すか、若しくは、傷病名マスタ５又は修飾語マスタ６を更新することができる。
【００２０】
なお、図２において、病名入力欄２１に文字列を入力するよりも先に、診療科入力欄２７を選択することもできる。もし、診療科入力欄２７が病名入力欄２１の入力よりも選択された場合は、病名入力欄２１の入力に応じて傷病名マスタ５の照会する範囲を、選択された診療科に特有なものを先にして選択された診療科に特有な病名を表示欄２２に先に表示することができる。例えば、図７Ａは、傷病名マスタ５に含まれる標準的な傷病名とそれに対応する傷病コードを示す表である。もし、病名の検索キーワード「い」で検索した場合は、図７Ａに示すような全診療科の傷病名が表示される。しかし、図７Ｂに示すように、もし、診療科を「内科」にして検索キーワード「い」で検索すれば、図７Ｂに示すような内科特有の病名のみが表示されるか又は先頭に表示される。もし、診療科を「消化器科」にして検索キーワード「い」で検索すれば、図７Ｃに示すような消化器科特有の病名のみが表示されるか又は先頭に表示される。このようにすれば、優先的に診療科に関係のある病名が表示されて、選択すべき病名数を絞ることができる。
また、図２と図３のユーザインターフェイスは電子カルテシステム（図示しない）と連携していて、診療科入力欄２７は電子カルテシステム（図示しない）から入力されるようにしてもよい。このように、図１のレセプト処理システムを電子カルテシステム（図示しない）と連携すればより効率的にシステムとなる。
図８は、修飾語マスタ６に含まれる標準的な修飾語とそれに対応する修飾語コードを示す表である。
【００２１】
図９は、本発明のレセプト処理システムの傷病名又はその修飾語の入力方法を示すフローチャートである。まず、レセプト処理システム１のキーボード等の入力手段２を経由して、ユーザ（操作員）が傷病名又はその修飾語の文字列又はそのコードの数字列を入力する（Ｓ１）。すると、システム１は、一字毎文字が入力されると、レセプト処理システム１はこれに応答して、データベース１０と入力文字列解析手段１１により、傷病名か修飾語かを判別して、それぞれに応じて傷病名マスタ５又は修飾語マスタ６を照会する（Ｓ２）。そして、一字毎文字が入力されると、入力された文字列と同一の文字列を持つ傷病名又は修飾語を取り出して表示手段４の表示欄２２に一覧表示する（Ｓ３）。ユーザ（操作員）は表示手段４の表示欄２２中に表示された傷病名又は修飾語の一覧から傷病名又は修飾語をマウス等の選択手段３で選択する（Ｓ４）。選択された傷病名又は修飾語とそれに対応する傷病コード又は修飾語コードが表示手段４に表示される（Ｓ５）。そして、選択された傷病名又は修飾語がそれらのコードと共にレセプト処理システムの後処理のために使用される。
最初のステップＳ１では、傷病名又は修飾語の文字列の他に傷病コード又は修飾語コードの数字列を入力することができる。もし、ステップＳ１で文字列の代わりに傷病コード又は修飾語コードの数字列が入力されたら、ステップＳ２で入力された数字列が傷病名マスタ５又は修飾語マスタ６と照会される。ステップＳ３とＳ４はスキップされる。そして、入力された数字列と一致する傷病コード又は修飾語コードを持つ傷病名又は修飾語があれば、ステップＳ５で傷病名表示欄２４又は修飾語表示欄２６にそれぞれ表示される。もし該当するコードを持つ傷病名又は修飾語がなければそれぞれの表示欄２４又は２６に入力コードが正しくない旨が表示される。
図１０は、本発明の別の実施の形態によるレセプト処理システムの傷病名又はその修飾語の入力方法を示すフローチャートである。図９のフローチャートと同じ部分には同じ参照番号を付して説明は省略する。図９と異なる点は最初のステップＳ１の前に、ステップＳＡとして、ユーザ（操作員）が傷病名を入力する前に、該当患者について、過去に入力したことのある病名があるかどうかを検索し、あった場合には過去に入力された傷病名を優先的に表示する。さらに、過去に入力した病名と類似の病名があった場合には、その「類似病名」も表示する。この「類似病名」を推測する判断材料として、病名を木構造で階層的に分類した医療オントロジー（症状と病名、治療法間の対応情報など医学知識そのものを 構造化した情報）を活用して、同じ患者の前回の病名と同じ小分類、中分類、大分類に属する病名及びそのコードを優先的に「類似病名」として表示する。病名の分類については、ICD10 国際疾病分類第10版（2003年改訂）、例えば、http://www.dis.h.u-tokyo.ac.jp/byomei/ICD10/を利用することができる。
図１１は、このICD10 国際疾病分類第10版（2003年改訂）の病名を大分類、中分類、小分類の順にツリー構造の一部を示す図である。図１２は、このツリー構造に基づいて小分類、中分類、大分類に属する病名及びそのコードを検索する本発明の実施例のフローチャートである。このように小分類（ステップＳ１１）、中分類（ステップＳ１２）、大分類（ステップＳ１３）の順で類似病名を検索して表示することにより、この実施例では所望の病名を早く見つけることができ傷病名入力について省力化できる。
本発明のシステム及び方法においては、ステップＳ１における文字列と数字列の入力は、常に、両方が可能である。つまり、傷病名の文字入力と修飾語コードの数字入力の両方が常に可能である。傷病名又は修飾語の文字とそれらのコードの数字とをどちらを先に入力するかは自由である。また、入力中に例えば傷病名コードの数字入力から修飾語の文字入力に変更してもよい。したがって、ユーザ（操作員）が常に一番やりやすい方法で入力方法を選択できる。
【００２２】
以上説明したように、本発明のレセプト処理システムは、入力毎に入力に応答して傷病名マスタ又は修飾語マスタから候補が表示されてそこから選択できるため、より少ないキーストローク操作で標準的な傷病名とその傷病コード及び修飾語とその修飾語コードを入力することができる。また、傷病名とその傷病コードの両方で常に入力することができるため、操作員の最も効率的な仕方で入力ができる。従って、レセプト処理システムへの傷病名の入力が容易となり事務効率を高めることができる。
【図面の簡単な説明】
【００２３】
【図１】本発明の一実施例によるレセプト処理システムのブロック図。
【図２】本発明の一実施例によるレセプト処理システムの表示手段の画面に表示されるユーザインターフェイスの画面。
【図３】本発明の一実施例によるレセプト処理システムの表示手段の画面に表示されるユーザインターフェイスの画面。
【図４】図３のユーザインターフェイスの一部を示す画面。
【図５】図２のユーザインターフェイスの一部を示す画面。
【図６】図２のユーザインターフェイスの一部を示す画面。
【図７Ａ】本発明の１つの実施例の傷病名マスタに含まれる内容を示す表。
【図７Ｂ】本発明の１つの実施例の傷病名マスタに含まれる内容を示す表。
【図７Ｃ】本発明の１つの実施例の傷病名マスタに含まれる内容を示す表。
【図８】本発明の１つの実施例の修飾語マスタに含まれる内容を示す表。
【図９】本発明の一実施例のレセプト処理システムの入力方法を示すフローチャート。
【図１０】本発明の他の実施例のレセプト処理システムの入力方法を示すフローチャート。
【図１１】本発明の一実施例に使用される国際疾病分類のツリー構造を示す図。
【図１２】本発明の一実施例による類似病名検索の方法を示すフローチャート。
【符号の説明】
【００２４】
１    レセプト処理システム
２    入力手段
３    選択手段
４    表示手段
５    傷病名マスタ
６    修飾語マスタ
７    傷病名マスタ照合手段
８    修飾語マスタ照合手段
９    コンピュータ
１０  データベース
１１  入力文字列解析手段及び類似病名検出手段
２１  病名入力欄
２２  表示欄
２３  傷病コード入力欄
２４  傷病名表示欄
２５  修飾語コード入力欄
２６  修飾語表示欄
２７  診療科入力欄
【図１】
2008210153.tif 000003
【図２】
2008210153.tif 000004
【図３】
2008210153.tif 000005
【図４】
2008210153.tif 000006
【図５】
2008210153.tif 000007
【図６】
2008210153.tif 000008
【図７Ａ】
2008210153.tif 000009
【図７Ｂ】
2008210153.tif 000010
【図７Ｃ】
2008210153.tif 000011
【図８】
2008210153.tif 000012
【図９】
2008210153.tif 000013
【図１０】
2008210153.tif 000014
【図１１】
2008210153.tif 000015
【図１２】
2008210153.tif 000016